(57)【要約】  本発明は、一体形厚紙ブランク（２８）から作られた折り畳み箱であって、直方体の形をした本体（１）の上端領域と３つの側部でオーバーラップし、折り畳み線（６）により本体（１）の後壁（５）に連結されると共に閉じ状態で前壁（４）及び２つの側壁（３）と面一をなして位置する一体形成のヒンジ式蓋（７）と、前パネル（９）と、ヒンジ式蓋（７）内に突き出たカラー（１１）を形成する２つの側パネル（１０）とを有する折り畳み箱において、前パネル（９）は、前壁（４）に平行に且つこれから間隔をおいて配置されると共に本体（１）を主コンパートメント（１２）と前コンパートメント（１３）に分割していることを特徴とする折り畳み箱に関する。
2012509228.tif 000002
【特許請求の範囲】
【請求項１】
一体形厚紙ブランク（２８）から作られた折り畳み箱であって、直方体の形をした本体（１）の上端領域と３つの側部でオーバーラップし、折り畳み線（６）により前記本体（１）の後壁（５）に連結されると共に閉じ状態で前壁（４）及び２つの側壁（３）と面一をなして位置する一体形成のヒンジ式蓋（７）と、前パネル（９）と、前記ヒンジ式蓋（７）内に突き出たカラー（１１）を形成する２つの側パネル（１０）とを有する折り畳み箱において、
前記前パネル（９）は、前記前壁（４）に平行に且つこれから間隔をおいて配置されると共に前記本体（１）を主コンパートメント（１２）と前コンパートメント（１３）に分割している、
ことを特徴とする折り畳み箱。
【請求項２】
前記前壁（４）は、互いにすぐ隣接して位置した２本の長手方向折り畳み線（２５，２６）の下で前記側壁（３）の１つに合体している、
請求項１記載の折り畳み箱。
【請求項３】
前記前壁（４）及び／又は前記前パネル（９）は、導入手段としてスロット（２３，２４）を有する、
請求項１又は２記載の折り畳み箱。
【請求項４】
前記主コンパートメント（１２）は、特に互いに異なるサイズの２つの受け入れコンパートメント（１５）に分割されている、
請求項１記載の折り畳み箱。
【請求項５】
前記厚紙ブランク（２８）は、前記本体（１）の前記主コンパートメント（１２）が前記前パネル（９）から前記後壁（５）まで延びる境界壁（１４）によって前記２つの受け入れコンパートメント（１５）に細分化されるよう１枚の側パネル（１０）及び前記カラー（１１）の前記前パネル（９）の一部分の付近で切り離されている、
請求項１又は４記載の折り畳み箱。
【請求項６】
中間ベース（１７）が前記受け入れコンパートメント（１５）の１つに挿入されている、
請求項４又は５記載の折り畳み箱。
【請求項７】
前記厚紙ブランク（２８）は、折り畳み線（３１）を介して前記後壁（５）にヒンジ止めされた前記側パネル（１０）の下から延びていて、前記中間ベース（１７）を形成する舌部（１６）を有する、
請求項６記載の折り畳み箱。
【請求項８】
前記舌部（１６）は、第１の部分（３９）が前記側パネル（１０）から遠ざかって延び、第２の部分（４２）が前記側パネルの自由上縁の方向に延び、第３の部分（６６）が前記側パネルまで案内され、前記第３の部分（６６）は、前記側パネル（１０）に平行に延びると共にこれに糊付けされた第４の部分（４４）で終端している、
請求項７記載の折り畳み箱。
【請求項９】
情報リーフレット、特にパッケージリーフレット（１９，２２）が前記前コンパートメント（１３）及び／又は前記主コンパートメント（１２）の前記受け入れコンパートメント（１５）の１つに取り出し可能に挿入されている、
請求項１又は４記載の折り畳み箱。
【請求項１０】
前記情報リーフレットは、前記前コンパートメント（１３）内に取り外し可能に固定されている、
請求項９記載の折り畳み箱。
【請求項１１】
前記情報リーフレットは、特に前記厚紙ブランク（２８）それ自体の中で前記前壁（４）の内側又は前記カラー（１１）の前記前パネル（９）の外側に糊付けされたスリーブ（２１）内に挿入されている、
請求項１０記載の折り畳み箱。
【請求項１２】
有効物質調合薬用のアプリケータ器具、特に吸入器（１８）が前記主コンパートメント（１２）の一方の受け入れコンパートメント（１５）内に挿入され、投与されるべき前記有効物質調合薬の入った少なくとも１つのパッケージ、特にカートリッジ（２０）が他方の受け入れコンパートメント（１５）内に挿入されている、
請求項４記載の折り畳み箱。
【請求項１３】
前記ヒンジ式蓋（７）は、前記ヒンジ式蓋（７）を最初に開くと、ちぎれて開くことができる折り畳み線に沿って前記側壁（３）及び前記前壁（４）に連結されている、
請求項１記載の折り畳み箱。
【発明の詳細な説明】
【技術分野】
【０００１】
本発明は、一体形厚紙ブランクから作られた折り畳み箱であって、直方体の形をした本体の上端領域と３つの側部でオーバーラップし、折り畳み線により本体の後壁に連結されると共に閉じ状態で前壁及び２つの側壁と面一をなして位置する一体形成のヒンジ式蓋と、前パネルと、ヒンジ式蓋内に突き出たカラーを形成する２つの側パネルとを有する折り畳み箱に関する。
【背景技術】
【０００２】
独国実用新案第２０２００４０００４７９（Ｕ１）号明細書は、厚紙で作られた折り畳み箱であって、折り畳み箱本体の上端領域と３つの側部でオーバーラップすると共に折り畳み箱の上縁を形成する折り畳み線に沿って折り畳み箱本体の領域の１つに連結された一体形成ヒンジ式蓋を有し、この蓋が、３つの粘着性パネルを有し、これらパネルがヒンジ式蓋の蓋領域から垂直に突き出ると共に各々が二重壁構造のものであり、ヒンジ式蓋が、それぞれのパネル領域の自由縁部のところで内方に曲げられたタブ領域を有し、このタブ領域は、パネル領域の内側に糊付けされると共にパネル領域と蓋領域との間の、のど部内に延び、ヒンジ式蓋が最初に開かれると、ちぎれて開くことができる折り畳み線に沿って折り畳み箱の非開封状態においてこのパネル領域により部分的に覆われた本体領域の上縁に一体に連結されている折り畳み箱を開示している。
【０００３】
さらに、独国実用新案第９１１４９２７（Ｕ１）号明細書は、直方体の形を定めると共にヒンジ式蓋を構成する折り目及び切れ目を備えた厚紙ブランクから作られているヒンジ式蓋を備えた折り畳み箱を開示している。ミシン目により形成された引き裂きストリップが、ヒンジ式蓋の折り畳みヒンジと反対側の箱の前部に且つ箱の隣り合う短い側部で厚紙ブランクに設けられ、厚紙ブランクは、掴み取っ手を形成するよう折り畳み箱の１つの短い側部が広幅に作られている。
【先行技術文献】
【特許文献】
【０００４】
【特許文献１】独国実用新案第２０２００４０００４７９（Ｕ１）号明細書
【特許文献２】独国実用新案第９１１４９２７（Ｕ１）号明細書
【発明の概要】
【発明が解決しようとする課題】
【０００５】
公知の折り畳み箱は、これらが収容されるべき物体のための複数個のコンパートメントを備えていないという種々の欠点を有し、このことは、特に、実際の製品、即ち薬剤に加えて、少なくとも１つのいわゆるパッケージリーフレットを収容しなければならない薬剤包装折り畳み箱の分野における課題である。一般に、このパッケージリーフレットは、製品と一緒に折り畳み箱の本体内に納められる。国により定められた或る特定の要件により、２種類のパッケージリーフレットが１つの折り畳み箱内に納められることが要求されている場合があり、一方のリーフレットは、製品のユーザ向けであり、他方のリーフレットは、製品を小出しする医師又は薬剤師向けである。両方のリーフレットが製品と一緒に折り畳み箱の本体内に納められる場合、医師又は薬剤師は、自分向けのリーフレットを探さなければならず、これは、実用的ではなく且つ時間がかかる。
【０００６】
本発明の目的は、多種多様なアイテムの秩序立った収納を可能にする上述した種類の折り畳み箱を提供することにある。
【課題を解決するための手段】
【０００７】
本発明によれば、この課題は、前パネルが前壁に平行に且つこれから間隔をおいて配置されると共に本体を主コンパートメントと前コンパートメントに分割していることによって解決される。
【０００８】
この特徴により、種々のアイテムを主コンパートメント及び前コンパートメント内に互いに別々に収容することができる。アイテムは、例えば、折り畳み箱及びその内容物の使用対象である種々のユーザ群向きであるのが良い。例えば、患者は、主コンパートメント内に薬剤及び患者向けの薬剤に関するパッケージリーフレットを見出し、折り畳み箱を患者に提供する薬剤師又は医師は、前コンパートメント内にかかる自分向けのパッケージリーフレットを苦労して探し出すことなく、これを見出すことができ、そしてこれらを折り畳み箱から容易に取り出すことができる。この関係で、例えば、主コンパートメントが未だ開かれていないということを保証することができるようシール付きの主コンパートメントを提供することも又可能である。したがって、薬剤師は、特に、主コンパートメントが密封状態のままで対応のリーフレットを取り出すために折り畳み箱を開封することができ、したがって、最終使用者は、薬剤がいじられておらず且つその全体が存在していることを確認することができる。
【０００９】
一特徴によれば、前壁は、２本のすぐ隣り合う長手方向折り畳み線の下で側壁の１つに合体し、一方の折り畳み線は、長手方向縁部を形成し、一種のアコーディオン効果をもたらす。例えば複数個の折り畳み箱が積み重ねられたときに起こる場合があるように圧縮荷重が前壁に作用する場合、２本の折り畳み線の付近に変形作用が生じ、折り畳み線は又、非損傷状態であるという外観をユーザに与える。
【００１０】
取り扱いのしやすさを高めると共に折り畳み箱に収容されているアイテムの取り出しを助けるため、前壁及び／又は前パネルは、好都合には、導入手段としてのスロットを有する。
【００１１】
折り畳み箱内に納められるべき種々のアイテムの一層の分離を達成するため、主コンパートメントは、有利には、特に互いに異なるサイズの２つの受け入れコンパートメントに分割される。例えば、関連のアプリケータ器具と組み合わされるべき種々の調合製剤又は有効物質調合薬を受け入れチャンバ内に収納することができる。
【００１２】
折り畳み箱の一体製造のため、厚紙ブランクは、好都合には、厚紙ブランクは、本体の主コンパートメントが前パネルから後壁まで延びる境界壁によって２つの受け入れコンパートメントに細分化されるよう１枚の側パネル及びカラーの前パネルの一部分の付近で切り離されている。
【００１３】
比較的小さなアイテムに容易に到達することができるようにするため、中間ベースが、好ましくは、受け入れコンパートメントの一方の中に挿入される。
【００１４】
別の特徴によれば、中間ベースを形成するため、厚紙ブランクは、折り畳み線を介して後壁にヒンジ止めされた側パネルの下から延びる舌部を有する。好都合には、舌部は、第１の部分が側パネルから遠ざかって延び、第２の部分が側パネルの自由上縁の方向に延び、第３の部分が側パネルまで案内され、第３の部分は、側パネルに平行に延びると共にこれに糊付けされた第４の部分で終端している。この実施形態では、第１の部分は、折り畳み箱のベースの一部分を形成し、舌部の第３の部分は、中間ベースを形成する。
【００１５】
好ましくは、情報リーフレット、特にパッケージリーフレットが前コンパートメント及び／又は主コンパートメントの受け入れコンパートメントの１つに取り出し可能に挿入されている。情報リーフレットが簡単には紛失しないようにするため、有利には、情報リーフレットは、前コンパートメント内に取り出し可能に固定される。
【００１６】
情報リーフレットを取り扱いやすくするため、一特徴によれば、情報リーフレットは、特に厚紙ブランクそれ自体の中で前壁の内側又はカラーの前パネルの外側に糊付けされたスリーブ内に押し込まれている。したがって、厚紙ブランクを折り畳み箱の製造中であっても情報リーフレットと一緒に加工することができる。情報リーフレットをスリーブから取り出してこの中に戻すことができ、したがって、スリーブは、折り畳み箱の前コンパートメント内に情報リーフレットのための信頼性のあるホルダとなっている。
【００１７】
好都合には、主コンパートメントの一方の受け入れコンパートメントは、有効物質調合薬のためのアプリケータ器具、特に吸入器であり、他方の受け入れコンパートメント内には投与されるべき有効物質調合薬の入った少なくとも１つのパッケージ、特にカートリッジが挿入される。
【００１８】
吸入器は、商標名ハンディヘイラ（HandiHaler（登録商標））、スピンヘイラ（Spinhaler（登録商標））、ロータヘイラ（Rotahaler（登録商標））、アエロライザ（Aerolizer（登録商標））、フローカップス（Flowcaps（登録商標））、ターボスピン（Turbospin（登録商標））、エーアイアール・ディーピーアイ（AIR DPI（登録商標））、オービタル（Orbital（登録商標））、ダイレクトヘイラ（Directhaler（登録商標））で知られていると共に／或いは独国特許第３３４５７２２号明細書、欧州特許第０５９１１３６号明細書、独国特許第４３１８４５５号明細書、国際公開第９１／０２５５８号パンフレット、仏国特許出願公開第２１４６２０２（Ａ）号明細書、米国特許第４０６９８１９号明細書、欧州特許第６６６０８５号明細書、欧州特許第８６９０７９号明細書、米国特許第３，９９１，７６１号明細書、国際公開第９９／４５９８７号パンフレット、国際公開第２０００／５１６７２号パンフレット、ベル，ジェイ（Bell, J），「ファーマシューティカル・サイエンス６０（Pharm. Sci. 60）」，１５５９（１９７１）、コックス，ブリット（Cox, Brit），「メディスン・ジャーナル２（Med.J.2 ）」，６３４（１９６９）に記載されている。粉末吸入器の例としては、１回投与型及び多数回投与型粉末吸入器、具体的には、スピンヘイラ（Spinhaler（登録商標））、ロータヘイラ（Rotahaler（登録商標））、アエロライザ（Aerolizer（登録商標））、インヘレータ（Inhalator（登録商標））、ハンディヘイラ（HandiHaler（登録商標））、ディスクヘイラ（Diskhaler（登録商標））、ディスカス（Diskus（登録商標））、アキュヘイラ（Accuhaler（登録商標））、アエロヘイラ（Aerohaler（登録商標））、エクリプス（Eclipse（登録商標））、ターボヘイラ（Turbohaler（登録商標））、タービュヘイラ（Turbuhaler（登録商標））、イージーヘイラ（Easyhaler（登録商標））、ノボライザ（Novolizer（登録商標））、クリックヘイラ（Clickhaler（登録商標））、パルバイナル（Pulvinal（登録商標））、ノボライザ（Novolizer（登録商標））、スキーヘイラ（SkyeHaler（登録商標））、エキセロバイヤ（Xcelovair（登録商標））、パルバイナ（Pulvina（登録商標））、タイフーン（Taifun（登録商標））、マグヘイラ（MAGhaler（登録商標））、ツイストヘイラ（Twisthaler（登録商標））及びジェットヘイラ（Jethaler（登録商標））が挙げられる。
【００１９】
さらに、“Respimat（登録商標）”型ネブライザがベーリンガ・インゲルハイム・ケーゲー（Boehringer Ingelheim KG）により吸入器の形態で市販されており、このネブライザは、国際公開第９１／１４４６８号パンフレット及び同第９７／１２６８７（Ａ１）号パンフレットに記載されている。このエーロゾルネブライザは、液体有効物質調合製剤を、エーロゾルネブライザ内に挿入された内袋付き硬質容器、即ちカートリッジから、有効物質を内袋から放出するようはすば歯車により駆動されるピストンポンプ及びばね作動式圧力発生器によって、微細構造化ネブライザノズルを通って噴出させ、それによりいわゆる「ソフトミスト」を生じさせてこれを霧化して放出するために用いられる。
【００２０】
本発明の関連において、抗コリン作動薬、ベータミメティック（betamimetic(s)）、ステロイド、ホスホジエストラーゼ（ＰＤＥ）ＩＶ‐阻害薬、ＬＴＤ４‐拮抗薬及びＥＧＦＲ‐キナーゼ阻害薬、抗アレルギー薬、バッカクアルカロイド誘導体、トリプタン、ＣＧＲＰ‐拮抗薬、ホスホジエステラーゼ‐Ｖ‐阻害薬及びこの種の有効物質の組み合わせ、例えばベータミメティック＋抗コリン作動薬又はベータミメティック＋抗アレルギー薬の中から選択された薬剤が特に好ましい。組み合わせの場合、有効物質の少なくとも１種類は、化学的に結合された水を含む。好ましくは、抗アレルギー薬含有有効物質が、単一製剤として又は組み合わせ製剤の形態で用いられる。
【００２１】
本発明の関連において、抗コリン作動薬、ベータミメティック（betamimetic(s)）、ステロイド、ホスホジエストラーゼ（ＰＤＥ）ＩＶ‐阻害薬、ＬＴＤ４‐拮抗薬及びＥＧＦＲ‐キナーゼ阻害薬、抗アレルギー薬、バッカクアルカロイド誘導体、トリプタン、ＣＧＲＰ‐拮抗薬、ホスホジエステラーゼ‐Ｖ‐阻害薬及びこの種の有効物質の組み合わせ、例えばベータミメティック＋抗コリン作動薬又はベータミメティック＋抗アレルギー薬の中から選択された薬剤が好ましい。組み合わせの場合、有効物質の少なくとも１種類は、化学的に結合された水を含む。好ましくは、抗アレルギー薬含有有効物質が、単一製剤として又は組み合わせ製剤の形態で用いられる。
【００２２】
折り畳み箱内に納められたアイテムが、いじられなかったという視覚的証拠を提供するため、ヒンジ式蓋は、好都合には、ヒンジ式蓋を最初に開けたときにちぎれて開くことができる折り畳み線に沿って側壁及び前壁に取り付けられる。
【００２３】
上述すると共に以下において説明する特徴は、説明する特定の組み合わせだけでなく、他の組み合わせでも利用できることは理解されよう。本発明の範囲は、特許請求の範囲の記載にのみ基づいて定められる。
【００２４】
以下において、添付の図面を参照して例示としての実施形態により本発明を詳細に説明する。
【図面の簡単な説明】
【００２５】
【図１】本発明の折り畳み箱をそのヒンジ式蓋が開かれた状態で示す側面図である。
【図２】ヒンジ式蓋が完全に開かれた状態の図１の折り畳み箱の平面図である。
【図３】図２の折り畳み箱の正面図である。
【図４】折り畳み箱の厚紙ブランクを示す図である。
【発明を実施するための形態】
【００２６】
折り畳み箱は、ベース２、２つの互いに反対側の側壁３、これら側壁に垂直に配置された前壁４及び前壁４に平行に延びる後壁５を備えた直方体の形をしている本体１を有し、後壁５は、折り畳み線６によりヒンジ式蓋７に連結され、ヒンジ式蓋７は、閉じ位置では、前壁４及び２つの側壁３と面一をなして位置し、このヒンジ式蓋は、破線８で示されているように折り畳み線に沿って側壁３及び前壁４に連結されており、折り畳み線は、ヒンジ式蓋７を最初に開けたときにちぎれて開くことができる。カラー１１が、折り畳み箱の閉じ状態においてヒンジ式蓋７中に突き出るようになっており、カラー１１は、前パネル９及び２つの互いに反対側の側パネル１０で構成されている。後壁５は、前壁４よりも高く構成され、側壁３は、前壁４から後壁５まで斜め上方に延びている。
【００２７】
前パネル９は、前壁４に平行に且つこれから間隔をおいて配置され、この前パネルは、本体１を主コンパートメント１２と前コンパートメント１３に再分割し、主コンパートメント１２は、仕切り壁１４によって互いに異なるサイズの２つの受け入れコンパートメント１５に分割されており、一方の受け入れコンパートメント１５は、舌部１６により形成された中間ベース１７を有している。
【００２８】
主コンパートメント１２の一方の受け入れコンパートメント１５は、有効物質調合薬用の吸入器１８及びユーザ向けのパッケージリーフレット１９を収納している。他方の受け入れコンパートメント１５の中間ベース１７上には、吸入器を用いて投与されるべき有効物質調合薬入りのカートリッジ２０が設けられている。第２のパッケージリーフレット２２が前コンパートメント１３内に納められており、この第２のパッケージリーフレット２２は、スリーブ２１により一緒に保持され、スリーブ２１は、接着により前壁４の内側に取り付けられている。
【００２９】
折り畳み箱を開封するため、ユーザは、前壁４に設けられたスロット２３を通って近づき、ミシン目を構成する破線８に沿って引き裂き可能な折り畳み線を側壁３及び前壁４からちぎり取ることによりヒンジ式蓋７を開ける。パッケージリーフレット２２をスリーブ２１及び前コンパートメント１３から容易に引き出して前壁４のスロット２３及び前パネル９のスロット２４により折り畳み箱から取り出すことができる。
【００３０】
特に前壁４の付近において折り畳み箱の変形を回避するため、前壁は、互いにすぐに隣接して位置する２本の長手方向折り畳み線２５，２６の下で隣接の側壁３に合体している。一方が本体１の長手方向縁部２７を形成する２本の折り畳み線２５，２６は、一種のアコーディオン効果をもたらす。
【００３１】
折り畳み箱を製造するため、第１の側壁３が縁部のところで前壁４に合体して２本の折り畳み線２５，２６を形成する一方で第２の側壁３が中間折り畳み線２９により前壁４に隣接して位置するようにし、第２の側壁が折り畳み線３０により後壁５に連結されている一体形厚紙ブランク２８を用意する。後壁５を折り畳み線３１のカラー１１の第１の側パネル１０に連結し、第１の側パネル１０は、前パネル９に結合されて折り畳み線３２を形成し、前パネル９は、カラー１１の第２の側パネル１０に連結され、これらの中間に折り畳み線３３が設けられている。カラー１１の第２の側パネル１０及び折り畳み線３４まで突き出た前パネル９の領域を切り離し線３５により切り離し、それにより境界壁１４が形成され、この境界壁の第１の境界壁部分３６は、前パネル９から後壁５に向かって延びて主コンパートメント１２を２つの受け入れコンパートメント１５に分割し、境界壁１４の第２の境界壁部分３７を後壁に糊付けする。
【００３２】
ベースのところで、舌部１６が後壁５に隣接して位置すると共に折り畳み線３８を含む第１の側パネル１０から始まり、舌部１６の第１の部分３９は、内側ベースタブ４０を形成し、この第１の部分３９は、折り畳み線４１を介して第２の部分４２に合体し、この第２の部分は、境界壁１４に平行なヒンジ式蓋７の方向に延び、第２の部分４２は、折り畳み線４３を介して第３の部分６６、即ち、中間ベース１７に合体し、中間ベース１７の上方で第１の側パネル１０に糊付けされた舌部の第４の部分４５がこの第３の部分から延び、折り畳み線４４がその中間に設けられている。舌部１６と反対側の第１の側パネル１０の付近には、蓋タブ４７を形成する切り離し線４６が設けられており、この蓋タブ４７は、蓋の後壁４８の一部であり、蓋タブ４７を蓋側壁４９に糊付けする。
【００３３】
蓋後壁４８を、折り畳み線６を介して後壁５に連結すると共に折り畳み線５０を介して内側蓋タブ５１に連結する。さらに、内側ベースタブ５２を折り畳み線５３により後壁５に結合する。
【００３４】
破線８の上方で蓋側壁５４が第２の側壁３に隣接して位置し、蓋側壁５４を、折り畳み線５５を介して内側蓋タブ５６に連結する。下方領域では、内側ベースタブ５８を設け、折り畳み線５７を形成する。
【００３５】
蓋前壁５９が厚紙ブランク２８の破線８の上方で前壁３に設けられており、この蓋前壁５９を折り畳み線６０を介して外側蓋タブ６１に連結する。外側ベースタブ６３は、反対側から突出し、その中間には折り畳み線６２が設けられる。
【００３６】
第１の側壁３は、厚紙ブランク２８の上方で蓋側壁４９に隣接して位置し、蓋側壁４９は、折り畳み線６４を介して内側蓋タブ６５に連結される。
【００３７】
折り畳み状態において、蓋タブ４７，５１，５６，６１，６５とベースタブ４０，５２，５８，６３を互いに糊付けする。さらに、厚紙ブランク２８の外側に位置している第２の側パネル１０を内側の第２の側壁３に糊付けし、厚紙ブランク２８の外側に位置する第１の側壁３を内側の第１の側パネル１０に糊付けする。
【符号の説明】
【００３８】
１  本体
２  ベース
３  側壁
４  前壁
５  後壁
６  折り畳み線
７  ヒンジ式蓋
８  破線
９  前パネル
１０  側パネル
１１  カラー
１２  主コンパートメント
１３  前コンパートメント
１４  境界壁
１５  受け入れコンパートメント
１６  舌部
１７  中間ベース
１８  吸入器
１９  パッケージリーフレット
２０  カートリッジ
２１  スリーブ
２２  パッケージリーフレット
２３  スロット
２４  スロット
２５  折り畳み線
２６  折り畳み線
２７  長手方向縁部
２８  厚紙ブランク
２９  折り畳み線
３０  折り畳み線
３１  折り畳み線
３２  折り畳み線
３３  折り畳み線
３４  折り畳み線
３５  切り離し線
３６  境界壁部分
３７  境界壁部分
３８  折り畳み線
３９  部分
４０  ベースタブ
４１  折り畳み線
４２  部分
４３  折り畳み線
４４  折り畳み線
４５  部分
４６  切り離し線
４７  蓋タブ
４８  蓋後壁
４９  蓋側壁
５０  折り畳み線
５１  蓋タブ
５２  ベースタブ
５３  折り畳み線
５４  蓋側壁
５５  折り畳み線
５６  蓋タブ
５７  折り畳み線
５８  ベースタブ
５９  蓋前壁
６０  折り畳み線
６１  蓋タブ
６２  折り畳み線
６３  ベースタブ
６４  折り畳み線
６５  蓋タブ
６６  部分
【図１】
2012509228.tif 000003
【図２】
2012509228.tif 000004
【図３】
2012509228.tif 000005
【図４】
2012509228.tif 000006
【国際調査報告】
2012509228.tif 000007
2012509228.tif 000008
2012509228.tif 000009
2012509228.tif 000010
2012509228.tif 000011
2012509228.tif 000012